(57)【要約】      （修正有）【課題】所定エリアを利用する利用者ごとに取得したメッセージ情報を容易に管理できるメッセージ情報管理システムを提供する。【解決手段】所定エリアを利用する利用者が取得したメッセージ情報を管理する管理装置と、当該管理装置とネットワークを介して接続可能な携帯型端末装置と、により構成されたメッセージ情報管理システムにおいて、前記携帯型端末装置は、前記所定エリア内に設置されている表示媒体の所定領域に付加された媒体から、前記メッセージ情報を識別するための固有の識別情報を読み取る読取手段と、前記識別情報と、携帯型端末装置の固有の利用者情報と、を前記管理装置に送信する送信手段とを有し、前記管理装置は、取得した前記メッセージ情報と、前記識別情報を読み取った携帯型端末装置を所有する利用者の前記利用者情報と、を対応付けて記憶する記憶手段と、を有することを特徴とする。【選択図】図１
2007058328.tif 000002
【特許請求の範囲】
【請求項１】
所定エリアを利用する利用者が取得したメッセージ情報を管理する管理装置と、当該管理装置とネットワークを介して接続可能な携帯型端末装置と、により構成されたメッセージ情報管理システムにおいて、
前記携帯型端末装置は、
前記所定エリア内に設置されている表示媒体の所定領域に付加された媒体から、前記メッセージ情報を識別するための固有の識別情報を読み取る読取手段と、
前記読取手段により読み取った前記識別情報と、前記識別情報を読み取った携帯型端末装置を所有する利用者を他の利用者から識別するための固有の利用者情報と、を前記管理装置に送信する送信手段と、を有し、
前記管理装置は、
前記携帯型端末装置により送信された前記識別情報に基づいて、前記メッセージ情報を取得する取得手段と、
取得した前記メッセージ情報と、前記識別情報を読み取った携帯型端末装置を所有する利用者の前記利用者情報と、を対応付けて記憶する記憶手段と、
を有することを特徴とするメッセージ情報管理システム。
【請求項２】
請求項１に記載のメッセージ情報管理システムにおいて、
当該メッセージ情報管理システムは、入力装置を更に備え、
当該入力装置は、
前記利用者により他の利用者に伝言すべきメッセージ情報が入力される入力手段と、
前記入力されたメッセージ情報に対して固有の識別情報を付与する付与手段と、
前記メッセージ情報と前記識別情報を前記管理装置に送信する送信手段と、
を有し、
前記管理装置は、
前記入力装置により送信された前記メッセージ情報と前記識別情報を受信する受信手段を更に有し、
前記記憶手段は、受信した前記メッセージ情報と前記識別情報を対応付けて記憶し、
前記取得手段は、前記記憶手段を参照して前記識別情報に対応付けられた前記メッセージ情報を取得することを特徴とするメッセージ情報管理システム。
【請求項３】
請求項１に記載のメッセージ情報管理システムにおいて、
当該メッセージ情報管理システムは、入力装置を更に備え、
当該入力装置は、
前記利用者により被筆記媒体に筆記された文字情報を取得する文字情報取得手段と、
前記文字情報と前記被筆記媒体に対して予め付与された固有の識別情報と、を前記管理装置に送信する情報送信手段と、
を有し、
前記管理装置は、
前記入力装置により送信された前記文字情報と前記識別情報を受信する受信手段を更に有し、
前記記憶手段は、受信した前記文字情報と前記識別情報を対応付けて記憶し、
前記取得手段は、前記記憶手段を参照して前記識別情報に対応付けられた前記メッセージ情報を取得することを特徴とするメッセージ情報管理システム。
【請求項４】
請求項１乃至請求項３のいずれか一項に記載のメッセージ情報管理システムにおいて、
前記管理装置は、
前記取得した前記メッセージ情報を前記識別情報を読み取った携帯型端末装置に送信する送信手段を更に有し、
前記携帯型端末装置は、
前記管理装置により送信された前記メッセージ情報を受信手段と、
受信した前期メッセージ情報を表示する表示手段と、
を更に有することを特徴とするメッセージ情報管理システム。
【請求項５】
所定エリアを利用する利用者が取得したメッセージ情報を管理する管理装置と、当該管理装置とネットワークを介して接続可能な携帯型端末装置と、により構成されたメッセージ情報管理システムにおけるメッセージ情報管理方法において、
前記携帯型端末装置が、
前記所定エリア内に設置されている表示媒体の所定領域に付加された媒体から、前記メッセージ情報を識別するための固有の識別情報を読み取る読取工程と、
前記読取工程により読み取った前記識別情報と、前記識別情報を読み取った携帯型端末装置を所有する利用者を他の利用者から識別するための固有の利用者情報と、を前記管理装置に送信する送信工程と、を有し、
前記管理装置は、
前記携帯型端末装置により送信された前記識別情報に基づいて、前記メッセージ情報を取得する取得工程と、
取得した前記メッセージ情報と、前記識別情報を読み取った携帯型端末装置を所有する利用者の前記利用者情報と、対応付けて記憶する記憶工程と、
を有することを特徴とするメッセージ情報管理方法。
【請求項６】
請求項５に記載のメッセージ情報管理方法において、
当該メッセージ情報管理方法は、入力装置を更に備え、
当該入力装置は、
前記利用者により他の利用者に伝言すべきメッセージ情報が入力される入力工程と、
前記入力されたメッセージ情報に対して固有の識別情報を付与する付与工程と、
前記メッセージ情報と前記識別情報を前記管理装置に送信する送信工程と、
を有し、
前記管理装置は、
前記入力装置により送信された前記メッセージ情報と前記識別情報を受信する受信工程を更に有し、
前記記憶工程は、受信した前記メッセージ情報と前記識別情報を対応付けて記憶し、
前記取得工程は、前記記憶手段を参照して前記識別情報に対応付けられた前記メッセージ情報を取得することを特徴とするメッセージ情報管理方法。
【請求項７】
請求項５に記載のメッセージ情報管理方法において、
当該メッセージ情報管理方法は、入力装置を更に備え、
当該入力装置は、
前記利用者により被筆記媒体に筆記された文字情報を取得する文字情報取得工程と、
前記文字情報と前記被筆記媒体に対して予め付与された固有の識別情報と、を前記管理装置に送信する情報送信工程と、
を有し、
前記管理装置は、
前記入力装置により送信された前記文字情報と前記識別情報を受信する受信工程を更に有し、
前記記憶工程は、受信した前記文字情報と前記識別情報を対応付けて記憶し、
前記取得工程は、前記記憶手段を参照して前記識別情報に対応付けられた前記メッセージ情報を取得することを特徴とするメッセージ情報管理方法。
【請求項８】
請求項５乃至請求項７のいずれか一項に記載のメッセージ情報管理方法において、
前記管理装置は、
前記取得した前記メッセージ情報を前記識別情報を読み取った携帯型端末装置に送信する送信工程を更に有し、
前記携帯型端末装置は、
前記管理装置により送信された前記メッセージ情報を受信工程と、
受信した前期メッセージ情報を表示する表示工程と、
を更に有することを特徴とするメッセージ情報管理方法。
【発明の詳細な説明】
【技術分野】
【０００１】
本発明は、メッセージ情報管理システムに関し、さらに具体的には展示会場を利用（来場）する利用者（展示会参加者）が取得したメッセージ情報を、展示会場の管理者が管理する場合について説明する。
【背景技術】
【０００２】
従来から、例えば、駅構内や遊園地等の所定エリアに掲示されているポスターやメッセージシート等にはＩＣタグ等が印刷されており、上記所定エリアを利用する利用者の所有している携帯電話等を用いてそのＩＣタグに記憶されている識別情報を読み込むことによって、ポスターやメッセージシート等に記載されている詳細内容やメッセージ情報を携帯電話等を用いて閲覧することができる。
【発明の開示】
【発明が解決しようとする課題】
【０００３】
しかしながら、更に同様の方法により他のポスター等の詳細情報を多数取得した場合には、現在までに取得したポスター等の詳細情報のすべてを携帯電話に記憶させておくことになるため、携帯電話の記憶部の容量が多く必要となってしまう。その上、携帯電話に記憶された詳細情報等をすべて閲覧するといった場合には見にくく不便であるといった問題が生じていた。
【０００４】
本発明は、このような問題に鑑みなされたものであり、所定エリアを利用する利用者ごとに取得したメッセージ情報を容易に管理できるメッセージ情報管理システムを提供することを主たる課題とする。
【課題を解決するための手段】
【０００５】
上記課題を解決するための請求項１に記載の発明は、所定エリアを利用する利用者が取得したメッセージ情報を管理する管理装置と、当該管理装置とネットワークを介して接続可能な携帯型端末装置と、により構成されたメッセージ情報管理システムにおいて、前記携帯型端末装置は、前記所定エリア内に設置されている表示媒体の所定領域に付加された媒体から、前記メッセージ情報を識別するための固有の識別情報を読み取る読取手段と、前記読取手段により読み取った前記識別情報と、前記識別情報を読み取った携帯型端末装置を所有する利用者を他の利用者から識別するための固有の利用者情報と、を前記管理装置に送信する送信手段と、を有し、前記管理装置は、前記携帯型端末装置により送信された前記識別情報に基づいて、前記メッセージ情報を取得する取得手段と、取得した前記メッセージ情報と、前記識別情報を読み取った携帯型端末装置を所有する利用者の前記利用者情報と、を対応付けて記憶する記憶手段と、を有することを特徴とする。
【０００６】
上記課題を解決するための請求項２に記載の発明は、請求項１に記載のメッセージ情報管理システムにおいて、当該メッセージ情報管理システムは、入力装置を更に備え、当該入力装置は、前記利用者により他の利用者に伝言すべきメッセージ情報が入力される入力手段と、前記入力されたメッセージ情報に対して固有の識別情報を付与する付与手段と、前記メッセージ情報と前記識別情報を前記管理装置に送信する送信手段と、を有し、前記管理装置は、前記入力装置により送信された前記メッセージ情報と前記識別情報を受信する受信手段を更に有し、前記記憶手段は、受信した前記メッセージ情報と前記識別情報を対応付けて記憶し、前記取得手段は、前記記憶手段を参照して前記識別情報に対応付けられた前記メッセージ情報を取得することを特徴とする。
【０００７】
上記課題を解決するための請求項３に記載の発明は、請求項１に記載のメッセージ情報管理システムにおいて、当該メッセージ情報管理システムは、入力装置を更に備え、当該入力装置は、前記利用者により被筆記媒体に筆記された文字情報を取得する文字情報取得手段と、前記文字情報と前記被筆記媒体に対して予め付与された固有の識別情報と、を前記管理装置に送信する情報送信手段と、を有し、前記管理装置は、前記入力装置により送信された前記文字情報と前記識別情報を受信する受信手段を更に有し、前記記憶手段は、受信した前記文字情報と前記識別情報を対応付けて記憶し、前記取得手段は、前記記憶手段を参照して前記識別情報に対応付けられた前記メッセージ情報を取得することを特徴とする。
【０００８】
上記課題を解決するための請求項４に記載の発明は、請求項１乃至請求項３のいずれか一項に記載のメッセージ情報管理システムにおいて、前記管理装置は、前記取得した前記メッセージ情報を前記識別情報を読み取った携帯型端末装置に送信する送信手段を更に有し、前記携帯型端末装置は、前記管理装置により送信された前記メッセージ情報を受信手段と、受信した前期メッセージ情報を表示する表示手段と、を更に有することを特徴とする。
【０００９】
上記課題を解決するための請求項５に記載の発明は、所定エリアを利用する利用者が取得したメッセージ情報を管理する管理装置と、当該管理装置とネットワークを介して接続可能な携帯型端末装置と、により構成されたメッセージ情報管理システムにおけるメッセージ情報管理方法において、前記携帯型端末装置が、前記所定エリア内に設置されている表示媒体の所定領域に付加された媒体から、前記メッセージ情報を識別するための固有の識別情報を読み取る読取工程と、前記読取工程により読み取った前記識別情報と、前記識別情報を読み取った携帯型端末装置を所有する利用者を他の利用者から識別するための固有の利用者情報と、を前記管理装置に送信する送信工程と、を有し、前記管理装置は、前記携帯型端末装置により送信された前記識別情報に基づいて、前記メッセージ情報を取得する取得工程と、取得した前記メッセージ情報と、前記識別情報を読み取った携帯型端末装置を所有する利用者の前記利用者情報と、対応付けて記憶する記憶工程と、を有することを特徴とする。
【００１０】
上記課題を解決するための請求項６に記載の発明は、請求項５に記載のメッセージ情報管理方法において、当該メッセージ情報管理方法は、入力装置を更に備え、当該入力装置は、前記利用者により他の利用者に伝言すべきメッセージ情報が入力される入力工程と、前記入力されたメッセージ情報に対して固有の識別情報を付与する付与工程と、前記メッセージ情報と前記識別情報を前記管理装置に送信する送信工程と、を有し、前記管理装置は、前記入力装置により送信された前記メッセージ情報と前記識別情報を受信する受信工程を更に有し、前記記憶工程は、受信した前記メッセージ情報と前記識別情報を対応付けて記憶し、前記取得工程は、前記記憶手段を参照して前記識別情報に対応付けられた前記メッセージ情報を取得することを特徴とする。
【００１１】
上記課題を解決するための請求項７に記載の発明は、請求項５に記載のメッセージ情報管理方法において、当該メッセージ情報管理方法は、入力装置を更に備え、当該入力装置は、前記利用者により被筆記媒体に筆記された文字情報を取得する文字情報取得工程と、前記文字情報と前記被筆記媒体に対して予め付与された固有の識別情報と、を前記管理装置に送信する情報送信工程と、を有し、前記管理装置は、前記入力装置により送信された前記文字情報と前記識別情報を受信する受信工程を更に有し、前記記憶工程は、受信した前記文字情報と前記識別情報を対応付けて記憶し、前記取得工程は、前記記憶手段を参照して前記識別情報に対応付けられた前記メッセージ情報を取得することを特徴とする。
【００１２】
上記課題を解決するための請求項８に記載の発明は、請求項５乃至請求項７のいずれか一項に記載のメッセージ情報管理方法において、前記管理装置は、前記取得した前記メッセージ情報を前記識別情報を読み取った携帯型端末装置に送信する送信工程を更に有し、前記携帯型端末装置は、前記管理装置により送信された前記メッセージ情報を受信工程と、受信した前期メッセージ情報を表示する表示工程と、を更に有することを特徴とする。
【発明の効果】
【００１３】
上記発明においては、利用者により多数のメッセージ情報が取得された場合であっても所定エリアを利用する利用者ごとに取得したメッセージ情報を管理装置により管理することにより、携帯型端末装置に多数のメッセージ情報を記憶させておくこと必要がなく、携帯型端末装置の記憶部の容量が少なくてすみ、又、管理装置によりメッセージ情報を管理しておくことにより、簡易に取得したメッセージ情報を閲覧することができる。
【発明を実施するための最良の形態】
【００１４】
以下、本発明の最良の実施形態を図面を用いて説明する。
【００１５】
（Ｉ）第１実施形態
第１実施形態は、本発明を所定エリアの一例として展示会場で利用する場合について説明する。具体的には、展示会場を利用（来場）する利用者（以下、単に「展示会参加者」という）が取得したメッセージ情報を、展示会場の管理者（以下、単に「管理者」という）が管理する場合について説明する。
【００１６】
［メッセージ情報管理システム］
まず、本実施形態に係るメッセージ情報管理システムＳについて、図１を用いて概念的に説明する。
【００１７】
図１に示すように、当該メッセージ情報管理システムＳは、入力手段、付与手段、送信手段としてのコンピュータ等の入力装置１と、取得手段、記憶手段、受信手段、送信手段としてのサーバ等の管理装置２と、読取手段、送信手段、受信手段、表示手段としての携帯電話等の携帯型端末装置３と、により構成されている。そして、入力装置１、管理装置２、及び携帯型端末装置３はネットワークＸを介して互いに情報の授受が可能に接続されている。なお、展示会場内には表示媒体としての伝言板が設置されているものとする。
【００１８】
このような構成からなる本実施形態におけるメッセージ情報管理システムＳでは、まず、展示会参加者Ａ等が入力装置１を用いて他の任意の展示会参加者Ｂ等に伝言すべきメッセージ情報を入力する。入力されたメッセージ情報に対して固有の識別情報としてのユニークＩＤが付与され、このユニークＩＤを媒体としてのＩＣ（Integrated Circuit）タグに記憶させる。このＩＣタグを所定領域としてのメッセージシートに付加（印刷）し、このメッセージシートに展示会参加者Ａ等がメッセージ情報に関するコメントを記載する。このようにコメントを記載したメッセージシートを表示媒体としての伝言板に貼付する。
【００１９】
ここで、展示会参加者Ａ等と同様にして作成されたメッセージシートが多数貼付された伝言板を見た展示会参加者Ａ等以外の他の任意の展示会参加者Ｂ等は、この多数のメッセージシートのうち、興味を持ったメッセージシートに付加されたＩＣタグから、携帯型端末装置３を用いてユニークＩＤを読み取り、読み取ったユニークＩＤと携帯型端末装置３を所有する展示会参加者Ｂ等の利用者情報（展示会参加者情報）を管理装置２に送信する。管理装置２は、このユニークＩＤに基づいて、メッセージ情報を取得し、取得したメッセージ情報と、ユニークＩＤを読み取った携帯型端末装置３を所有する展示会参加者の展示会参加者情報とを対応付けて記憶することにより、展示会参加者ごとにメッセージ情報を管理することができる。
【００２０】
次に、本発明のメッセージ情報管理システムＳを構成する各部の構成及び機能について図を用いて詳細に説明する。
【００２１】
図２は、本発明のメッセージ情報管理システムの概要構成を示すブロック図である。
【００２２】
〔入力装置１の構成及び機能〕
入力装置１は、展示会場に設置されているものとする。具体的には、展示会参加者Ａ等が展示会場に来場している他の任意の展示会参加者Ｂ等に伝言したいメッセージ情報を入力するために設置されているものである。
【００２３】
入力装置１の構成及び動作について、図２を用いて説明する。
【００２４】
図２に示すように、実施形態に係る入力装置１は、入力手段としての入力部１１と、表示部１２と、記憶部１３と、上記ネットワークＸに接続して管理装置２との間で必要な情報の授受を行うための送信手段としての通信部１４と、付与手段としての制御部１５と、により構成されており、各部材はバスを介して相互に接続されている。
【００２５】
入力部１１は、図示しないキーボード等に具備された英数字キー等の各種操作キー等であって、展示会参加者Ａ等が他の任意の展示会参加者Ｂ等に伝言すべきメッセージ情報を入力する場合等に用いられ、当該操作に対応する入力情報を生成して制御部１５へ出力する。
【００２６】
表示部１２は、上記入力部１１により展示会参加者Ａ等がメッセージ情報を入力する際にメッセージ情報を表示する。
【００２７】
記憶部１３は、入力装置１上の表示部１２に表示すべき情報等を蓄積記憶し、必要に応じて蓄積記憶情報として制御部１５に出力すると共に、入力部１１における操作等により当該表示すべき情報が入力／更新されると、制御部１５を介して蓄積記憶情報として受け取り、記憶する。通信部１４は、ネットワークＸを介して、管理装置２に例えば、ユニークＩＤとメッセージ情報の必要な通信情報を送信するために制御部１５に出力するものである。
【００２８】
制御部１５は、メッセージ情報に対応したユニークＩＤを付与する。また、制御部１５は、上記通信情報、入力情報、及び蓄積記憶情報を用いて、表示部１２に表示させるべき表示情報を生成し、表示部１２に出力して必要な表示を実行させたり、上記に示したように、ユニークＩＤとメッセージ情報等の必要な通信情報を生成し、通信部１４を介して管理装置２に対して通信を行う。
【００２９】
〔管理装置２の構成及び機能〕
管理装置２は、展示会場を管理する管理室や、本社センター等に設置されているものである。管理装置２は、通信網を介して展示会参加者Ｂ等の所有する携帯型端末装置３との間に情報の授受を可能に接続されているものである。
【００３０】
管理装置２の構成及び動作について、図２を用いて説明する。
【００３１】
図２に示すように、実施形態に係る管理装置２は、入力部２１と、表示手段としての表示部２２と、記憶手段としての記憶部２３と、上記ネットワークＸに接続して入力装置１と携帯型端末装置３との間で必要な情報の授受を行うための受信手段、送信手段としての通信部２４と、取得手段としての制御部２５と、により構成されており、各部材はバスを介して相互に接続されている。
【００３２】
入力部２１は、図示しないキーボード等に具備された数字キー等の各種操作キー等であって、管理者が管理装置２を操作する場合等に用いられ、当該操作に対応する入力情報を生成して制御部２５へ出力する。
【００３３】
表示部２２は、入力装置１、携帯型端末装置３との間で何らかの情報を送受信する際に制御部２５を介して表示情報として受け取り、表示部２２に表示する。
【００３４】
記憶部２３は、管理装置２上の表示部２２に表示すべき情報等を蓄積記憶し、必要に応じて蓄積記憶情報として制御部２５に出力すると共に、入力部２１における操作により当該表示すべき情報が入力／更新されると、その更新された情報を制御部２５を介して蓄積記憶情報として受け取り、指定されたアドレスに蓄積記憶する。
【００３５】
ここで、当該記憶部２３の細部構成について、図３を用いて説明する。なお、図３は、管理装置の記憶部の細部構成を示すブロック図である。
【００３６】
図３に示すように、記憶部２３は、メッセージ情報データベース２３Ａ、展示会参加者情報データベース２３Ｂと、により構成されている。
【００３７】
図３（Ａ）に示すように、メッセージ情報データベース２３Ａには、展示会参加者Ａ等が入力装置１を用いて入力したメッセージ情報とユニークＩＤが対応付けられて個々に識別可能に格納されている。
【００３８】
具体的には、識別情報「１０１」に、メッセージ情報「××分野の研究者、これから集まって親睦会を開きませんか？・・・・・」が対応付けられて記憶されている。
【００３９】
次に、図３（Ｂ）に示すように、展示会参加者情報データベース２３Ｂには、展示会参加者Ｂ等によって携帯型端末装置３により読み取られたユニークＩＤに基づいて取得されたメッセージ情報と、ユニークＩＤを読み取った携帯型端末装置３を所有する展示会展示会参加者Ｂ等の展示会参加者情報が対応付けられて個々に識別可能に格納されている。
【００４０】
ここで展示会参加者情報とは、展示会参加者を他の展示会参加者から識別するための情報であって、展示会参加者ごとに識別情報を付与してもよい。また、各展示会参加者の所有している携帯型端末装置のメールアドレス等の宛先情報等であってもよい。
【００４１】
この展示会参加者情報に対応付けて、展示会参加者によって携帯型端末装置３により読み取られたユニークＩＤに基づいて取得されたメッセージ情報を記憶させることにより、管理者によって展示会参加者ごとに展示会参加者が取得したメッセージ情報を管理することができ、メッセージを取得した展示会参加者は後にこれまで自ら取得したメッセージ情報をメッセージ一覧情報として確認することができる。
【００４２】
通信部２４は、ネットワークＸを介して入力装置１、携帯型端末装置３との間で何らかの情報を送受信する際に通信情報を受信し制御部２５に出力したり、通信情報を送信するために制御部２５から出力されるものである。
【００４３】
制御部２５は、上記通信情報、入力情報、及び記憶情報を用いて、表示部２２に表示させるべき表示情報を生成し、表示部２２に出力して必要な表示を実行させたり、上記通信情報を生成し、通信部２４を介して携帯型端末装置３や、入力装置１に対して通信を行う。
【００４４】
〔携帯型端末装置３の構成及び機能〕
携帯型端末装置３は、展示会参加者Ｂ等に所有されているものである。携帯型端末装置３は、携帯電話等に限定されることはなく、メール機能を有する携帯情報端末等であってもよい。
【００４５】
携帯型端末装置３の構成及び機能について、図２を用いて説明する。
【００４６】
図２に示すように、実施形態に係る携帯型端末装置３は、入力部３１と、表示手段としての表示部３２と、記憶部３３と、上記ネットワークＸに接続して管理装置２との間で各種情報の授受を行うための受信手段、送信手段としての通信部３４と、制御部３５と、読み取り手段としての読取部３７と、を備えて構成されており、各部材はバスを介して相互に接続されている。
【００４７】
入力部３１は、携帯型端末装置３に具備された数字キー等の各種操作キー等であって、展示会参加者Ｂ等が管理装置２より送信されたメッセージ一覧情報に対して返信する場合等に用いられ、当該操作に対応する入力情報を生成して制御部３５へ出力する。
【００４８】
表示部３２は、管理装置２よりメッセージ情報を受信する際に通信部３４から制御部３５を介して表示情報として受け取り、表示部３２に表示する。
【００４９】
記憶部３３は、携帯型端末装置３の表示部３２に表示すべき情報等を蓄積記憶し、必要に応じて蓄積記憶情報として制御部３５に出力すると共に、入力部３１における操作等により当該表示すべき情報が入力／更新されると、制御部３５を介して蓄積記憶情報として受け取り、蓄積記憶する。
【００５０】
通信部３４は、ネットワークＸを介して管理装置２から例えば、メッセージ情報等の必要な通信情報を受信し制御部３５に出力したり、展示会参加者が入力部３１によりメッセージ一覧情報に対して返信する際に通信情報を送信するために制御部３５から出力されるものである。
【００５１】
制御部３５は、上記通信情報、入力情報、及び蓄積記憶情報を用いて、表示部３２に表示させるべき表示情報を生成し、表示部３２に出力して必要な表示を実行させたり、上記に示したように、メッセージ情報等の必要な通信情報を通信部３４を介して受信したり、展示会参加者Ｂ等が入力部３１によりメッセージ一覧情報に対して返信する際に、通信情報を生成し、通信部３４を介して管理装置２に対して通信を行う。
【００５２】
読取部３７は、ＩＣタグに記憶されたユニークＩＤを読み取り、読み取られたユニークＩＤを読み取り情報として制御部３５に出力する。
【００５３】
［メッセージ情報管理処理］
次に、図４のフローチャートを用いて、メッセージ情報管理システムＳにおけるメッセージ情報管理処理について説明する。
【００５４】
なお、メッセージ情報を入力した展示会参加者を展示会参加者Ａとし、メッセージ情報を取得する展示会参加者を展示会参加者Ｂとして、以下説明する。
【００５５】
図４は、メッセージ情報管理システムにおけるメッセージ情報管理処理を示すフローチャートである。図４（Ａ）に示すフローチャートは、携帯型端末装置３の制御部３５により実行され、図４（Ｂ）に示すフローチャートは、入力装置１の制御部１５により実行され、図４（Ｃ）に示すフローチャートは、管理装置２の制御部２５により実行される。
【００５６】
まず、展示会参加者Ａ等により入力装置１を用いてメッセージ情報が入力される（ステップＳ１１）。
【００５７】
具体的には、入力装置１は展示会場等に設置されており、展示会参加者Ａは、他の任意の展示会参加者Ｂに伝言すべきメッセージ情報を入力装置１の入力部１１を用いて入力する。例えば、「××分野の研究者、これから集まって親睦会を開きませんか？集合場所／時間：○○×・・・」等のメッセージ情報を入力する（ステップＳ１１）。
【００５８】
次に、展示会参加者Ａによりメッセージ情報が入力されると、そのメッセージ情報に対してユニークＩＤが付与される（ステップＳ１２）。
【００５９】
具体的には、展示会参加者Ａが入力したメッセージ情報「××分野の研究者、これから集まって親睦会を開きませんか？・・・・・」に、ユニークＩＤ「１０１」が付与される。これによって、当該展示会参加者Ａが入力したメッセージ情報が、例えば、他の展示会参加者Ｃ等によって入力されたメッセージ情報から識別されることになる。
【００６０】
次に、入力装置１は、メッセージ情報とユニークＩＤを管理装置２に送信する（ステップＳ１３）。
【００６１】
これにより、図４（Ｃ）のフローチャートに移行する。管理装置２は、入力装置１により送信されたメッセージ情報とユニークＩＤを受信することにより図４（Ｃ）に示す処理を開始する（ステップＳ２１）。
【００６２】
次に、メッセージ情報とユニークＩＤを対応付けて記憶部２３に記憶する（ステップＳ２２）。
【００６３】
具体的には、図３（Ａ）のメッセージ情報データベース２３Ａに示すように、ユニークＩＤ「１０１」と、メッセージ「××分野の研究者、これから集まって親睦会を開きませんか？・・・・・」を対応付けてメッセージ情報データベースに記憶する。
【００６４】
なお、入力装置１で予めユーザＩＤ等が設けられた場合には、ユーザＩＤに紐付けてメッセージ情報を登録しても良い。
【００６５】
次に、図示しないが、そのメッセージ情報に付与されたユニークＩＤがＩＣタグ等に記憶される。
【００６６】
具体的には、後述するように、任意の展示会参加者Ｂが伝言板に貼られているメッセージシートを見て、興味のある内容が書かれていると判断した場合に、そのメッセージシートに表示されているＩＣタグに記憶されているユニークＩＤを携帯型端末装置３を用いて読み取ることになる。
【００６７】
次に、図示しないが、ユニークＩＤが記憶されたＩＣタグ等がメッセージシートに印刷される。
【００６８】
具体的には、上記展示会参加者Ａによりメッセージ情報が入力され、そのメッセージ情報に付与されたユニークＩＤがメッセージ情報と対応付けられて登録されると同時に、図５（Ａ）に示すように、ユニークＩＤが記憶されたＩＣタグがメッセージシートに印刷される。
【００６９】
ここで、印刷には、入力装置１に接続されたＩＣタグプリンタ（印刷装置）を用いることができる。
【００７０】
次に、図示しないが、ＩＣタグがメッセージシートに印刷されると、展示会参加者Ａは、メッセージシートの表面にメッセージ情報に関連したコメントを手書きし、そのメッセージシートを伝言板に掲示する（図１、図５（Ｂ）参照）。
【００７１】
具体的には、展示参加者Ａは、印刷されたメッセージシートに、メッセージ情報の概要を書き込む（手書きする）。例えば、メッセージシートの表面に「××会社の研究室、全員集合！」のように、メッセージ情報の概要を端的に表したもの、又はメッセージに興味が湧くような言葉をメッセージシートの表面に書き込み、入力装置１の近くに設置された伝言板に掲示する（貼り付ける）。
【００７２】
次に、展示参加者Ａ等により伝言板に掲示された多数のメッセージシートの中から展示会参加者Ｂが興味を持ったメッセージシートのＩＣタグに記憶されたユニークＩＤを携帯型端末装置３を用いて読み取る（ステップＳ３１）（図１、図６（Ａ）参照）。
【００７３】
次に、読取手段により読み取ったユニークＩＤと、ユニークＩＤを読み取った携帯型端末装置３を所有する展示会参加者を他の展示会参加者から識別するための固有の展示会参加者情報と、を管理装置２に送信する（ステップＳ３２）。
【００７４】
具体的には、後述するように展示会参加者ごとに読み取られたメッセージ情報を記憶部２３に記憶しておくために、ユニークＩＤと、ユニークＩＤを読み取った携帯型端末装置３を所有する展示会参加者Ｂの展示会参加者情報を送信する。
【００７５】
次に、図４（Ｃ）のフローチャートに移行する。管理装置２は、携帯型端末装置３により送信されたユニークＩＤと展示会参加者情報を受信することにより、（Ｂ）に示す処理を開始する（ステップＳ２３）。
【００７６】
次に、管理装置２は、携帯型端末装置３から受信したユニークＩＤに対応するメッセージを記憶部３３から取得する（ステップＳ２４）。
【００７７】
次に、管理装置２は、記憶部２３から取得したメッセージ情報を携帯型端末装置３に送信する（ステップＳ２５）。
【００７８】
次に、図４（Ａ）のフローチャートに移行する。携帯型端末装置３は、ユニークＩＤに対応するメッセージ情報を受信することにより、（Ａ）に示す処理を開始する（ステップＳ３３）。
【００７９】
次に、携帯型端末装置３は、受信したメッセージ情報を表示部３２に表示する（ステップＳ３４）（図６（Ｂ）参照）。
【００８０】
具体的には、携帯端末装置３により読み取ったユニークＩＤに対応するメッセージ情報を受信し、そのメッセージ情報を表示部３２に表示することにより、伝言板に貼付されたメッセージシートの内容を確認することができる。
【００８１】
次に、管理装置３は、取得したメッセージ情報と、ユニークＩＤを読み取った携帯型端末装置３を所有する展示会参加者Ｂの展示会参加者情報と、を対応付けて記憶する（ステップＳ２６）。
【００８２】
このように、取得したメッセージ情報と、ユニークＩＤを読み取った携帯型端末装置３を所有する展示会参加者Ｂの展示会参加者情報と、を対応付けて記憶することにより、管理者によって展示会参加者ごとに展示会参加者が取得したメッセージ情報を管理することができる。
【００８３】
［メッセージ一覧情報取得処理］
更に、［メッセージ情報管理処理］において説明したように、展示会参加者Ｂが伝言板から取得したメッセージシートの内容をメッセージ一覧情報として管理装置２の展示会参加者情報データベース２３Ｂに展示会参加者ごとに記憶することによって、上記した方法により展示会参加者Ｂが今までに取得した多数のメッセージ情報を後にメッセージ一覧情報として確認することができる。
【００８４】
図７を用いて、管理者によって展示会参加者ごとに管理されているメッセージ一覧情報取得処理について説明する。
【００８５】
まず、携帯型端末装置３を用いて、管理装置２に展示会参加者Ｂの展示会参加者情報を送信する（ステップＳ４１）。
【００８６】
次に、図７（Ｂ）のフローチャートに移行する。管理装置２は、携帯型端末装置３により送信された展示会参加者情報を受信することにより、（Ｂ）に示す処理を開始する（ステップＳ５１）。
【００８７】
管理装置２は、受信した展示会参加者情報に対応付けられて記憶部２３に記憶されているメッセージ一覧情報を取得（ステップＳ５２）し、メッセージ一覧情報報を携帯型端末装置３に送信する（ステップＳ５３）。
【００８８】
次に、図７（Ａ）のフローチャートに移行する。携帯型端末装置３は、管理装置２により送信されたメッセージ一覧を受信することにより、（Ｂ）に示す処理を開始する（ステップＳ４２）。  次に、受信したメッセージ一覧を表示部３２に表示する（ステップＳ４３）。
【００８９】
このようにして、展示会参加者Ｂが今までに取得した多数のメッセージ情報をメッセージ一覧情報として確認することができる。
【００９０】
ここで、このメッセージ一覧情報に対してコメントをすることも可能である。
【００９１】
展示会参加者Ｂは、携帯型端末装置３の入力部３１を用いて、メッセージ一覧情報にコメントを入力する（ステップＳ４４）。
【００９２】
具体的には、上記したようにメッセージ一覧情報を取得した展示会参加者Ｂは、メッセージ一覧情報をいつでも閲覧することができると共に、メッセージ一覧情報に記載されたメッセージ情報に対してコメントすることも可能である。
【００９３】
例えば、「△△研究所の○○です。親睦会に参加しますのでよろしく！」というコメントを入力する。
【００９４】
次に、図７（Ｂ）のフローチャートに移行する。管理装置２は、展示会参加者ごとに記憶されているメッセージ一覧情報にコメントを記憶する（ステップＳ５４）。
【００９５】
なお、上述したように、ＩＣタグに記憶させたユニークＩＤを携帯端末装置３により読み取ることによってメッセージ情報を取得する場合について説明したが、ユニークＩＤを記憶させる媒体としては、ＩＣタグではなく、ＱＲコードやバーコード等であってもよい。
【００９６】
ここで、ＱＲコードの場合には、ユニークＩＤを格納したＱＲコードを生成し、そのＱＲコードをＱＲコードリーダ等を用いて変換することによって、ユニークＩＤを取得し、メッセージ情報を取得することになる。なお、ＱＲコードやバーコード等の場合には、ＩＣタグプリンタ（印刷装置）の代わりに、ＱＲコードプリンタやバーコードプリンタ（印刷装置）等を用いて、ＱＲコードやバーコード等をメッセージシートに印刷する。
【００９７】
（II）第２実施形態
第１実施形態における入力装置１は、パーソナルコンピュータ等である場合について説明したが、以下に説明する第２実施形態における入力装置１は、例えば、電子ペン等のような筆記具である場合について説明する。なお、第２実施形態と第１実施形態との差異は、上記した入力装置１が異なるのみであり基本的な動作は同様であるため同様部分の説明は省略する。
【００９８】
［メッセージ情報管理システム］
まず、本実施形態に係るメッセージ情報管理システムＳについて、図８を用いて概念的に説明する。
【００９９】
図８に示すように、当該メッセージ情報管理システムＳは、文字情報取得手段、情報送信手段としての電子ペンＤと、被筆記媒体として専用シートＰと、取得手段、記憶手段、受信手段、送信手段としてのＡＳＨ（Application Service Handler）を含む管理装置２と、読取手段、送信手段、受信手段、表示手段としての携帯電話等の携帯型端末装置３と、により構成されている。そして、電子ペンＤ、管理装置２、及び携帯型端末装置３はネットワークＸを介して互いに情報の授受が可能に接続されている。このような構成からなる本実施形態におけるメッセージ情報管理システムＳでは、まず、展示会参加者Ａ等により、他の任意の展示会参加者Ｂ等に伝言すべき文字情報が、例えば電子ペンＤを用いて専用シートＰに入力（記載）される。入力（記載）された文字情報に対して予め専用シートＰに付与されている固有の識別情報としての専用シートＩＤを媒体としてのＩＣ（Integrated Circuit）タグに記憶させる。このＩＣタグを所定領域としてのメッセージシートに付加（印刷）し、そのメッセージシートを表示媒体としての伝言板に貼付する。以下、文字情報（メッセージ情報）を取得し、管理する動作は第１実施形態と同様である。
【０１００】
次に、本発明のメッセージ情報管理システムＳを構成する各部の構成及び機能について図を用いて詳細に説明する。ここでは、携帯型端末装置３は、第１実施形態で説明したものと同様であるため説明は省略する。
【０１０１】
なお、文字情報とは、入力装置としての電子ペンＤで記入した筆跡を示す情報あるいは、筆跡の情報より得られる画像情報を含む概念としているが、以下本実施形態を説明するにあたっては、文字情報と画像情報を区別して説明する。
【０１０２】
〔電子ペンＤの構成及び機能〕
電子ペンＤは、展示会場に設置されているものとする。具体的には、展示会参加者Ａ等が展示会場に来場している他の任意の展示会参加者Ｂ等に伝言したいメッセージ情報を入力するために設置されているものである。
【０１０３】
電子ペンＤの構成及び動作について、図９を用いて説明する。
【０１０４】
電子ペンＤは、図９（Ａ）に示すように、そのケース中にインク充填部と、カメラと、付与手段、文字情報取得手段としての制御部と、記憶部と、上記ネットワークＸに接続して管理装置２との間で必要な情報の授受を行うための送信手段、情報送信手段としての通信部と、バッテリと、により構成されている。
【０１０５】
電子ペンＤは、通常のペンと同様にインクにより専用シートＰに筆記しながら、文字位置をカメラ、制御部、記憶部により一時的に記憶し、通信部により管理装置２に送信するものである。
【０１０６】
インク充填部は、使用者が専用シートＰ等に筆記するためのインクを充填する部位である。
【０１０７】
カメラは、電子ペンＤを用いて専用シートＰに筆記することにより筆記された文字を示す文字情報（ドットパターン；ドットパターンについては後述する。）を、赤外線等を用いて読み取る。カメラは、読み取った文字情報を制御部に送る。
【０１０８】
制御部は、電子ペンＤ全体の動作を制御する。具体的に、制御部は、カメラにより読み取られた文字情報を記憶部に一時的に記憶させる。また、制御部は、文字情報や専用シートＩＤを送信部により管理装置２に向けて送信させる。
【０１０９】
記憶部は、文字情報を記憶している。記憶部は、必要に応じて記憶している情報を制御部に送信し、通常、文字情報を送信した場合には、当該文字情報が削除される。
【０１１０】
通信部は、本発明の筆記情報等送信手段として機能し、文字情報や専用シートＩＤを所定の管理装置２に向けて送信する。送信方式としては、ブルートゥース等の無線ＬＡＮによって管理装置２と無線で通信できるようになっていたり、ＵＳＢ接続により有線で管理装置２と通信できるようになっている。バッテリは、電子ペンＤのカメラ、制御部、送信部等の各構成要素が機能できるように、電源として機能する。
【０１１１】
〔専用シートＰの構成及び機能〕
専用シートＰは、図９（Ｂ）に示すように、専用シートＰ表面に、宛先記入欄、文字情報記入欄、送信指示チェック欄、ＩＣタグ貼付スペース、ＱＲコード貼付スペースがそれぞれ割り当てられ、各欄の位置がわかるように印刷がされている。また、専用シートＰは、用紙全体に人の目からは見えにくいドットパターンが付されている。
【０１１２】
ドットパターンは、専用シートＰに格子状に付されたものである。このドットパターンの位置等に基づいて文字情報が取得される。
【０１１３】
次いで、専用シートＰ表面に印刷された各領域について説明する。
【０１１４】
宛先記入欄は、後述するが、展示会参加者Ａが返信先シートＩＤを記入する際に、電子ペンＤで記入（チェック）する欄である。例えば図９（Ｂ）に示すように、宛先記入欄として、例えば４桁の数字を記入する記入欄が割り当てられている。なお、後述するように、管理装置２に返信先シートＩＤに基づいて取得される宛先情報と返信先のメッセージ情報が記憶されたＵＲＬが対応付けられて登録されているものとする。これにより、宛先情報に対して返信をすることができる。
【０１１５】
文字情報記入欄は、展示会参加者Ａが文字情報を記入するための領域である。この領域内に、文字、記号、絵等を自由に筆記することができる。
【０１１６】
送信指示チェック欄は、電子ペンＤにより記入した文字情報を管理装置２に送信する際に電子ペンＤで記入（チェック）する欄である。電子ペンＤによりこの欄に筆記されると、電子ペンＤのこの欄のドットパターンを認識し、これまで電子ペンＤで記入した文字情報を管理装置２に送信することを電子ペンＤの制御部が認識する。
【０１１７】
ＩＣタグ貼付スペース又は、ＱＲコード貼付スペースは、それぞれＩＣタグやＱＲコードを貼付しておくための領域である。
【０１１８】
〔管理装置２の構成及び機能〕
次いで、管理装置２について説明する。管理装置２は、ＡＳＨを含むものである。
【０１１９】
管理装置２については第１実施形態で説明したものとほぼ同様であるため、第１実施形態を参照するものとし、ここでは特に第１実施形態と異なる部分であるＡＳＨについて説明する。ＡＳＨは、通信部、入力部、制御部、記憶部、出力部、を有している。
【０１２０】
通信部は、電子ペンＤから文字情報、返信先シートＩＤを受信する。
【０１２１】
制御部は、ＡＳＨ全体の動作を制御する。具体的に、制御部は、文字情報に基づいて、画像情報（例えば、Ｆｌａｓｈデータ）に変換する。この際、電子ペンＤにより返信シートＩＤが宛先記入欄に記入されている場合には、返信先シートＩＤに基づいて宛先情報に変換する。また、制御部は、記憶部に変換した画像情報を記憶させる。記憶部は、変換した画像情報、宛先情報を一定期間記憶する。入力部は、ＡＳＨにおいて必要な情報等を入力するために用いられる。出力部は、ＡＳＨにおいて必要な情報等を出力するために用いられる。  
【０１２２】
［メッセージ情報管理処理］
次に、図１０、図１１のフローチャートを用いて、メッセージ情報管理システムＳにおけるメッセージ情報管理処理について説明する。
【０１２３】
図１１は、メッセージ情報管理システムにおけるメッセージ情報管理を示すフローチャートである。図１１（Ａ）に示すフローチャートは、電子ペンＤの制御部により実行され、図１１（Ｂ）に示すフローチャートは、管理装置２の制御部２５により実行される。
【０１２４】
（事前準備）
展示会場に電子ペンＤと共に設置された専用シートＰに予め付与されている専用シートＩＤを取得する（ステップＳ６１）。このように展示会場に設置された複数枚の専用シートＰの一枚一枚に専用シートＩＤが付与されていることによって、展示会参加者Ａ等がどの専用シートＰに文字情報を記載したかを認識できる。
【０１２５】
次に、専用シートＩＤを各ＩＣタグにそれぞれ記憶させる（ステップＳ６２）。
【０１２６】
具体的には、専用シート１に付与されたユニークＩＤをＩＣタグ１に記憶させ、専用シート２に付与された識別番号２をＩＣタグ２に記憶させる。
【０１２７】
次に、それぞれのユニークＩＤを記憶させたＩＣタグを印刷し（ステップＳ６３）、専用シートＩＤを管理装置２の記憶部２３に記憶させる（ステップＳ６４）。
【０１２８】
（メッセージ情報管理処理）
展示会参加者Ａが電子ペンＤを用いて専用シートＰの文字情報記入欄に文字や絵等の手書きの文字情報を記入する（ステップＳ７１）。
【０１２９】
例えば、「××分野の研究者、これから集まって親睦会を開きませんか？集合場所／時間：○○×・・・」等の文字情報を電子ペンＤを用いて専用シートＰに入力（記載）する。この際、電子ペンＤは文字等の文字情報を取得し、取得した文字情報を一時的に記憶する。
【０１３０】
展示会参加者Ａにより記入が終ると、最後に送信指示チェック欄に記入（チェック）することにより、電子ペンＤは、取得した文字情報と専用シートＩＤを管理装置２に送信する（ステップＳ７２）。
【０１３１】
管理装置２は、電子ペンＤから文字情報と専用シートＩＤを受信すると（ステップＳ８１）、文字情報を画像情報に変換する（ステップＳ８２）。
【０１３２】
変換した画像情報を専用シートＩＤに対応付けて記憶部２３に記憶する（ステップＳ８３）。
【０１３３】
図示しないが、展示会参加者Ａは、伝言板にそのまま専用シートＰを貼付する。
【０１３４】
これ以降の動作として展示会参加者Ｂ等が携帯型端末装置３によりＩＣタグに記憶された専用シートＩＤを読み取ることにより、管理者によりメッセージ情報を管理することができる工程は第１実施形態において説明したものと同様である。
【０１３５】
変形形態１
次に、各種伝言板におけるメッセージ情報管理処理について以下に説明する。
【０１３６】
図１２のフローチャートを用いて、メッセージ情報管理システムＳにおけるメッセージ情報管理処理について説明する。
【０１３７】
図１２は、メッセージ情報管理システムにおけるメッセージ情報管理を示すフローチャートである。図１２（Ａ）に示すフローチャートは、電子ペンＤの制御部により実行され、図１２（Ｂ）に示すフローチャートは、管理装置２の制御部２５により実行される。
【０１３８】
展示会参加者Ａが電子ペンＤを用いて専用シートＰの文字情報記入欄に文字や絵等の手書きの文字情報を入力（記入）する（ステップＳ８１）。この際、電子ペンＤは文字等の文字情報を取得し、取得した文字情報を一時的に記憶する。
【０１３９】
展示会参加者Ａにより記入が終ると、最後に送信指示チェック欄に記入（チェック）することにより、電子ペンＤは、取得した文字情報を管理装置２に送信する（ステップＳ８２）。
【０１４０】
管理装置２は、電子ペンＤから文字情報を受信する（ステップＳ９１）と、文字情報を画像情報に変換する（ステップＳ９２）。
【０１４１】
変換した画像情報に対して識別ＩＤを付与し（ステップＳ９３）、この識別ＩＤをＩＣタグに記憶させる。画像情報と識別ＩＤを対応付けて記憶部２３に記憶する（ステップＳ９４）。
【０１４２】
ここで上述したように、伝言板はディスプレイ等であってもよく、リアルな伝言板であってもよい。リアルな伝言板である場合には、画像情報と、ＩＣタグを印刷することによって、伝言板に貼付することができる。一方、識別ＩＤを記憶させる媒体としてＩＣタグではなく、ＱＲコードを用いた場合には、識別ＩＤを格納したＱＲコードを生成させることによって、伝言板がディスプレイ等である場合であっても、画像情報とＱＲコードをディスプレイ等に提示することができる。なお、バーコード等を用いた場合であっても同様に、ディスプレイ等に提示することができる。
【０１４３】
これ以降の動作として展示会参加者Ｂ等が携帯型端末装置３によりＩＣタグに記憶された専用シートＩＤを読み取ることにより、管理者がメッセージを管理することができる工程は第１実施形態において説明したものと同様である。
【０１４４】
変形形態２
次に、類似画像情報取得方法について以下説明する。
【０１４５】
図１３は、メッセージ情報管理システムにおけるメッセージ情報管理を示すフローチャートである。図１３（Ａ）に示すフローチャートは、電子ペンＤの制御部により実行され、図１３（Ｂ）に示すフローチャートは、管理装置２の制御部２５により実行され、図１３Ｃ）に示すフローチャートは、類似画像検索エンジンの制御部により実行され、図１３（Ｄ）に示すフローチャートは、携帯端末装置３の制御部により実行される。
【０１４６】
展示会参加者Ａが電子ペンＤを用いて専用シートＰの文字情報記入欄に文字や絵等の手書きの文字情報を記入する（ステップＳ１０１）。この際、電子ペンＤは文字等の文字情報を取得し、取得した文字情報を一時的に記憶する。展示会参加者Ａにより記入が終ると、最後に送信指示チェック欄に記入（チェック）することにより、電子ペンＤは、取得した文字情報を管理装置２に送信する（ステップＳ１０２）。
【０１４７】
管理装置２は、電子ペンＤから文字情報を受信する（ステップＳ１１１）と、文字情報を画像情報に変換し（ステップＳ１１２）、変換した画像情報を記憶部２３に記憶する（ステップＳ１１３）。
【０１４８】
次に、画像情報を類似画像検索エンジンに登録する（ステップＳ１２１）。ここで、専用シートＰをそのまま伝言板に貼付する。
【０１４９】
次に、展示会参加者Ｂが携帯型端末装置３のカメラ機能を用いて専用シートＰに記載されている文字や絵等を画像情報として取得する（ステップＳ１３１）。携帯型端末装置３を用いて撮影した画像情報を類似画像検索エンジンに送信する（ステップＳ１３２）。携帯型端末装置３から送信された画像情報を受信する（ステップＳ１２２）と、類似画像検索エンジンは、撮影した画像に最も類似している類似画像情報を取得する（ステップＳ１２３）。類似画像検索エンジンにて取得した類似画像情報を携帯型端末装置３に送信する（ステップＳ１２４）。ここで予め画像に対応させて関連情報を登録している場合には、その関連情報を携帯型端末装置３に送信するようにしてもよい。
【０１５０】
類似画像検索エンジンから送信された類似画像検索にて取得した類似画像情報を携帯型端末装置３に受信する（ステップＳ１３３）。
【０１５１】
変形形態３
次に、パスワードとＩＣタグ記憶された識別ＩＤとの関連付けについて説明する。
【０１５２】
図１５は、メッセージ情報管理システムにおけるメッセージ情報管理を示すフローチャートである。図１５（Ａ）に示すフローチャートは、電子ペンＤの制御部により実行され、図１５（Ｂ）に示すフローチャートは、管理装置２の制御部２５により実行される。
【０１５３】
（事前登録）
まず、展示会参加者情報が登録され（ステップＳ１４１）、その展示会参加者情報に対応付けた識別ＩＤを付与する（ステップＳ１４２）。具体的には、展示会参加者の氏名等に対応付けて、１２３等の識別ＩＤを付与する。識別ＩＤに対応付けたパスワードを付与する（ステップＳ１４３）。具体的には、１２３等の識別ＩＤにパスワード○○を対応付ける。上記１２３等の識別ＩＤをＩＣタグに記憶する（ステップＳ１４４）。図示しないが、１２３等の識別ＩＤをＩＣタグに印刷する。
【０１５４】
（メッセージ情報管理処理）
展示会参加者Ａが電子ペンＤを用いて専用シートＰの文字情報記入欄に文字や絵等の手書きの文字情報を入力（記入）する（ステップＳ１５１）。
【０１５５】
電子ペンＤは文字等の文字情報を取得し、取得した文字情報を一時的に記憶する。上記登録したパスワードを入力（記入）する（ステップＳ１５２）。
【０１５６】
展示会参加者Ａにより記入が終ると、最後に送信指示チェック欄に記入（チェック）することにより、電子ペンＤは、取得した文字情報とパスワードを管理装置２に送信する（ステップＳ１５３）。管理装置２は、電子ペンＤから文字情報とパスワードを受信する（ステップＳ１６１）と、文字情報を画像情報に変換する（ステップＳ１６２）。変換した画像情報をパスワードに対応付けて記憶部２３に記憶する（ステップＳ１６３）。図示しないが、伝言板へメッセージシートを貼付する。
【０１５７】
これ以降の動作として展示会参加者Ｂ等が携帯型端末装置３によりＩＣタグに記憶された専用シートＩＤを読み取ることにより、管理者がメッセージを管理することができる工程は第１実施形態において説明したものと同様である。
【０１５８】
変形形態４
次に、各種伝言板におけるメッセージ情報管理処理について以下に説明する。
【０１５９】
図１６は、メッセージ情報管理システムにおけるメッセージ情報管理を示すフローチャートである。図１６（Ａ）に示すフローチャートは、電子ペンＤの制御部により実行され、図１６（Ｂ）に示すフローチャートは、管理装置２の制御部２５により実行される。
【０１６０】
展示会参加者Ａが電子ペンＤを用いて専用シートＰの文字情報記入欄に文字や絵等の手書きの文字情報を記入する（ステップＳ１７１）。電子ペンＤは文字等と宛先の文字情報を取得し、取得した文字情報を一時的に記憶する。
【０１６１】
展示会参加者Ａにより記入が終ると、最後に送信指示チェック欄に記入（チェック）することにより、電子ペンＤは、取得した文字情報を管理装置２に送信する（ステップＳ１７２）。管理装置２は、電子ペンＤから文字情報を受信する（ステップＳ１８１）と、文字情報を画像情報に変換し（ステップＳ１８２）、変換した画像情報に対して識別ＩＤを付与する（ステップＳ１８３）。図示しないが、識別ＩＤをＩＣタグに記憶させる。
【０１６２】
画像情報と識別ＩＤを対応付けて記憶部２３に記憶する（ステップＳ１８４）。ここで、リアルな伝言板である場合には、専用シートＰをそのまま貼付する。画像情報が生成されたら、データをＷＥＢ掲示板に送信すると（ステップＳ１８５）、画像情報をＷＥＢ掲示板に登録する。
【０１６３】
これ以降の動作として展示会参加者Ｂ等が携帯型端末装置３によりＩＣタグに記憶された専用シートＩＤを読み取ることにより、管理者がメッセージを管理することができる工程は第１実施形態において説明したものと同様である。
【０１６４】
変形形態５
既存の返信用シートへの返信方法について説明する。
【０１６５】
次に、図１７のフローチャートを用いて、メッセージ情報管理システムＳにおけるメッセージ情報管理処理について説明する。
【０１６６】
図１７は、メッセージ情報管理システムにおけるメッセージ情報管理を示すフローチャートである。図１７（Ａ）に示すフローチャートは、電子ペンＤの制御部により実行され、図１７（Ｂ）に示すフローチャートは、管理装置２の制御部２５により実行される。
【０１６７】
展示会参加者Ａが電子ペンＤを用いて専用シートの文字情報記入欄に文字や絵等の手書きの文字情報を入力（記入）する（ステップＳ１９１）。その際に、宛先記入欄に返信先シートＩＤを入力（記入）する。この際、電子ペンＤは文字等と返信シートＩＤの文字情報を取得し、取得した文字情報を一時的に記憶する。
【０１６８】
展示会参加者Ａにより記入が終ると、最後に送信指示チェック欄に記入（チェック）することにより、電子ペンＤは、取得した文字情報を管理装置２に送信する（ステップＳ１９２）。管理装置２は、電子ペンＤから文字情報を受信する（ステップＳ２０１）と、文字情報を画像情報、宛先情報に変換し（ステップＳ２０２）、変換した画像情報に対して識別ＩＤを付与する（ステップＳ２０３）。図示しないが、識別ＩＤをＩＣタグに記憶させる。画像情報と識別ＩＤを対応付けて記憶部２３に記憶する（ステップＳ２０４）。リアルな伝言板である場合には、専用シートＰをそのまま貼付する。ここで、予め宛先情報と返信先のメッセージ情報が記憶されたＵＲＬが対応付けられて登録されているものとする。宛先情報により返信先のメッセージ情報が記憶されたＵＲＬを取得する（ステップＳ２０５）。画像情報が生成されたら、メッセージ情報をＷＥＢ掲示板に送信し（ステップＳ２０６）、画像情報をＷＥＢ掲示板に登録する。返信先のメッセージ情報が記載されたＵＲＬにリンクを貼付する（ステップＳ２０７）。このように、返信先のメッセージ情報が記載されたＵＲＬに返信としてメッセージ情報が記載されたＵＲＬのリンクを貼付することにより、返信先のメッセージ情報が記載されたＵＲＬより返信としてのメッセージ情報を見ることができる。
【０１６９】
これ以降の動作として展示会参加者Ｂ等が携帯型端末装置３によりＩＣタグに記憶された専用シートＩＤを読み取ることにより、管理者がメッセージを管理することができる工程は第１実施形態において説明したものと同様である。
【０１７０】
なお、上述したように、ＩＣタグに記憶させたユニークＩＤを携帯端末装置３により読み取ることによってメッセージ情報を取得する場合について説明したが、ユニークＩＤを記憶させる媒体としては、ＩＣタグではなく、ＱＲコードやバーコード等であってもよい。
【０１７１】
ここで、ＱＲコードの場合には、ユニークＩＤを格納したＱＲコードを生成し、そのＱＲコードをＱＲコードリーダ等を用いて変換することによって、ユニークＩＤを取得し、メッセージ情報を取得することになる。なお、ＱＲコードやバーコード等の場合には、ＩＣタグプリンタ（印刷装置）の代わりに、ＱＲコードプリンタやバーコードプリンタ（印刷装置）等を用いて、ＱＲコードやバーコード等をメッセージシートに印刷する。
【図面の簡単な説明】
【０１７２】
【図１】本発明のメッセージ情報管理システムを説明するための概略図である。
【図２】本発明のメッセージ情報管理システムの概要構成を示すブロック図である。
【図３】本発明における管理装置の記憶部の細部構成を示すブロック図である。
【図４】本発明のメッセージ情報管理システムにおける管理処理を示すフローチャートである。
【図５】メッセージシートについて説明する概略図である。
【図６】（Ａ）は、伝言板に貼付されたメッセージシートからユニークＩＤを読み取る場合について説明する図であり、（Ｂ）は、携帯型端末装置の表示部に表示されたメッセージ情報を示す図である。
【図７】メッセージ一覧情報取得処理を示すフローチャートである。
【図８】本発明のメッセージ情報管理システムを説明するための概略図である。
【図９】電子ペンと専用シートを示す概略図である。
【図１０】本発明のメッセージ情報管理システムにおける管理処理を示すフローチャートである。
【図１１】本発明のメッセージ情報管理システムにおける管理処理を示すフローチャートである。
【図１２】本発明のメッセージ情報管理システムにおける管理処理を示すフローチャートである。
【図１３】本発明のメッセージ情報管理システムにおける管理処理を示すフローチャートである。
【図１４】本発明のメッセージ情報管理システムにおける管理処理を示すフローチャートである。
【図１５】本発明のメッセージ情報管理システムにおける管理処理を示すフローチャートである。
【図１６】本発明のメッセージ情報管理システムにおける管理処理を示すフローチャートである。
【図１７】本発明のメッセージ情報管理システムにおける管理処理を示すフローチャートである。
【符号の説明】
【０１７３】
Ｓ・・・メッセージ情報管理システム
１・・・入力装置
２・・・管理装置
３・・・携帯型端末装置
Ｘ・・・ネットワーク
Ｄ・・・電子ペン
Ｐ・・・専用シート
１１、２１、３１・・・入力部
１２、２２、３２・・・表示部
１３、２３、３３・・・記憶部
１４、２４、３４・・・通信部
１５、２５、３５・・・制御部
２３Ａ・・・メッセージ情報データベース
２３Ｂ・・・展示会参加者情報データベース
【図１】
2007058328.tif 000003
【図２】
2007058328.tif 000004
【図３】
2007058328.tif 000005
【図４】
2007058328.tif 000006
【図５】
2007058328.tif 000007
【図６】
2007058328.tif 000008
【図７】
2007058328.tif 000009
【図８】
2007058328.tif 000010
【図９】
2007058328.tif 000011
【図１０】
2007058328.tif 000012
【図１１】
2007058328.tif 000013
【図１２】
2007058328.tif 000014
【図１３】
2007058328.tif 000015
【図１４】
2007058328.tif 000016
【図１５】
2007058328.tif 000017
【図１６】
2007058328.tif 000018
【図１７】
2007058328.tif 000019